(57)【要約】【課題】  携帯電話に連結するハンズフリーマイク・スピーカーにおいて、スピーカーをを耳の近くに、マイクは口元に近く配置し、携帯電話の通話中でも安全運転を可能にすること。【解決手段】  本発明のハンズフリーマイク・スピーカーは、自動車のシートの背もたれ部の上部のヘッドレスト左右側面側のどちらか一方に、アンプ付スピーカーを配置し、本装置のマイクとスピーカーはアンプを通じて一体構成となっており、マイクはアンプに連結棒を介して回転可能に取り付けられている。本アンプの電源はシガライターとし、携帯電話とはイヤホン・マイクセット端子への接続で電気的に繋がる構成とする。【選択図】  図３
2006123877.tif 000002
【特許請求の範囲】
【請求項１】
自動車のシートの背もたれ部の上部にあって、背もたれ部に取り付けられているヘッドレストの左右側面側の一方にアンプ付スピーカーを配置し、本アンプとマイク及びスピーカーを一体構成とし、本アンプの電源である自動車のシガライターに接続するよう端部にプラグ端子が連結される接続ケーブルと、携帯電話のイヤホン・マイクセット端子に差し込まれて電気的に接続するよう、端部にプラグ端子が連結されるケーブルで構成されることを特徴とする携帯電話用ハンズフリーマイク・スピーカー。
【請求項２】
前記アンプ付スピーカーは、前記背もたれ部の上面のヘッドレストの２本のステーに保持金具により、取り外し可能に固定設置されるよう構成されることを特徴とする請求項１記載の携帯電話用ハンズフリーマイク・スピーカー。
【請求項３】
前記固定金具には、アンプ付スピーカーを前後左右に首振り状態に転動可能に取り付けたことを特徴とする請求項１記載の携帯電話用ハンズフリーマイク・スピーカー。
【請求項４】
前記アンプに取り付けられるマイクを、連結棒を介して前後に回転可能に取り付けたことを特徴とする請求項１記載の携帯電話用ハンズフリーマイク・スピーカー。
【請求項５】
前記アンプに取り付けられるマイクを、柔軟性の可撓材である連結棒を介して移動可能に取り付けたことを特徴とする請求項１記載の携帯電話用ハンズフリーマイク・スピーカー。
【発明の詳細な説明】
【技術分野】
【０００１】  本発明は、自動車内での携帯電話の通話をハンズフリーとし、運転者の不注意運転を未然に防ぐことで、これに伴う事故を未然に防ぐことに効果的なハンズフリー通話装置に関するものである。
【背景技術】
【０００２】  昨今自動車の運転中の携帯電話の使用による自動車事故の増加が顕著で、その対応策が望まれている。従来、この種のハンズフリー通話装置として、自動車シートの背もたれ部の上部位置であって、前記背もたれ部に取り付けられるヘッドレストの右側面側および左側面側の一方にスピーカーを配置し、他方にマイクを配置したりしたものや、携帯電話に電気的に接続するハンズフリー装置であるイヤホンマイク等があったが、マイクが耳の背部にあったり、イヤホンを耳に嵌め込む等の運転者に違和感があった。【０００３】  そこで、本発明は携帯電話に接続されて一定距離を離れた状態でも携帯電話に設けられるマイクとスピーカーの役割を行わせることにより、スピーカーを耳の近くに、マイクは口元に近く配置し、マイクを使わないときは、これをアンプに回転可能に取り付けられた連結棒で押し上げておき、携帯電話の通話中安全運転を可能にさせるよう構成させた本案のハンズフリー装置に到達したものである。
【特許文献１】特開２００２−３６２２４５号広報
【特許文献２】特開２００１−１４６１３６号広報
【特許文献３】特開２００１−５４１８５号広報
【発明の開示】
【発明が解決しようとする課題】
【０００４】  本発明はこのような実情に鑑みなされたもので、本発明の携帯電話用ハンズフリーマイク・スピーカーを、自動車シートの背もたれ部上部のヘッドレストの側面側の左右一方に、これをヘッドレストのステーに簡単に取り付けができる構成の本ハンズフリーマイク・スピーカーを提案するものである。
【課題を解決するための手段】
【０００５】  そこで本発明は、上述した課題を解決するためになされたものであって、本発明は自動車のシートの背もたれ部の上部にあって、背もたれ部に取り付けられているヘッドレストの左右側面側の一方にアンプ付スピーカーを配置し、本装置はマイクとスピーカーがアンプを通じて一体構成となっており、マイクはアンプに連結棒を介して回転可能に取り付けられている。本アンプの電源はシガライターへの接続端子とケーブルにより得られ、また携帯電話とは、イヤホン・マイクセット端子に差し込まれるプラグ端子と連結されるケーブルにより電気的繋がる構成と成っている。【０００６】  そして、前記アンプ付スピーカーを背もたれ部のヘッドレストの２本のステーに固定金具により取り外し可能に保持固定するような構成とし、自在に取り付け取り外しが可能となる。【０００７】  また、前記固定金具とアンプ付スピーカーとは、ボール式連結具等により転動可能に固定され、自在に首振りができる構成となる。【０００８】  アンプ付スピーカーとマイクを介する連結棒の取り付け部を、前後に回転可能に取り付けることにより、マイクの位置を口元近くの話し易い位置に調整でき、使用しない時は上に押し上げておける。【０００９】  また、アンプ付スピーカーとマイクを介する連結棒を、可撓性の柔軟材とすることにより、マイクは上下、左右、前後度どちらにも移動と調整ができるので使い勝手が良く、使用しない時は邪魔にならない場所に寄せておける。
【発明の効果】
【００１０】  本発明は以上詳述した如く構成させたので、本発明の携帯電話用ハンズフリーマイク・スピーカーよれば、携帯電話に接続されて一定距離を離れた状態でも携帯電話に設けられるマイクとスピーカーの役割を行わせることにより、スピーカーを耳の近くにマイクは口元に近く配置し、携帯電話の通話中でも車の安全運転を可能にさせる効果を有する。
【発明を実施するための最良の形態】
【００１１】  次に、本発明を図面に示した実施の形態について説明すると、図１乃至図５に示すように、本発明はアンプ付スピーカー１と、連結棒２を介してのマイク３と、電源のシガライターへ接続のケーブル５とシガライターへの接続端子４と、携帯電話のイヤホン・マイクセット端子へ接続のケーブル７とプラグ端子６により構成される。【００１２】  上記アンプ付スピーカー１は、自動車の背もたれ部８の上部に取り付けられているヘッドレスト９の左右側側面の１方に、そのステー１０ａ、１０ｂに固定金具１１とボール式連結具１３により転動可能に固定保持され、運転者の耳の位置に応じてスピーカー１２の角度を上下、左右方向に調整することができる。【００１３】  本携帯電話用ハンズフリーマイク・スピーカーはこのように構成されるので、携帯電話での通話をヘッドレスト９の近傍にスピーカー１２を設けているために音量が小さくてすみ、またマイク３も口元近くに連結棒２でその位置の調整ができるので、運転者に違和感を生じさせないで普通の発声で会話ができる効果がある。【００１４】  このように構成させることにより、本携帯電話用ハンズフリーマイク・スピーカーの取り付けは、ヘッドレスト９の左右どちら側でもできるので、右ハンドル車、左ハンドル車のいずれであっても、携帯電話の接続とマイク３とスピーカー１２の調整ができる。本発明は前記実施例に限定されることなく、本発明を逸脱しない範囲内において多くの変更が可能である。
【図面の簡単な説明】
【００１５】
【図１】  背もたれ部とヘッドレスト及び本装置を示した正面図である。
【図２】  背もたれ部とヘッドレスト及び本装置を示した側面図である。
【図３】  背もたれ部とヘッドレスト及び本装置を示した斜視図である。
【図４】  ヘッドレストのステーと固定金具及び本装置を示した平面図である。
【図５】  ヘッドレストのステーと固定金具及び本装置を示した正面図である。
【符号の説明】
【００１６】    １  アンプ付スピーカー
２  連結棒
３  マイク
４  シガライターへの接続端子
５  シガライターへの接続ケーブル
６  携帯電話のイヤホン・マイクセット端子への接続プラグ端子
７  携帯電話への接続ケーブル
８  自動車の背もたれ部
９  ヘッドレスト
１０ａ、１０ｂ  ヘッドレストのステー
１１  固定金具
１２  スピーカー
１３  ボール式連結具
【図１】
2006123877.tif 000003
【図２】
2006123877.tif 000004
【図３】
2006123877.tif 000005
【図４】
2006123877.tif 000006
【図５】
2006123877.tif 000007